(57)【要約】【課題】紙詰まりを起こした原稿や、搬送路がよく見えるようにする。【解決手段】搬送カバーユニット１３を、第１支持部３５を基準に、また、中間搬送ユニット３２を、回動軸３４を基準に回動可能に支持する。センサＳ１が、搬送路１１で紙詰まりが発生し、かつ中間搬送ユニット３２が開放されたときに、光源４７を点灯して、搬送路１１等を照射する。【選択図】図９
2008184296.tif 000002
【特許請求の範囲】
【請求項１】
原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置において、
前記搬送路における前記上流側部分を上方から覆って上側ガイドを構成する開閉自在な搬送カバーユニットと、
前記搬送路における前記上流側部分の下側ガイド及び前記下流側部分の上側ガイドを構成する開閉自在な中間搬送ユニットと、
前記搬送路に配設され、第１の光源から照射して原稿で反射された光に基づいて画像を読み取る第１の画像読取部と、
前記搬送路中で原稿が紙詰まりを起こしたことを検知して、紙詰まり信号を発生する紙詰まり検知手段と、
前記紙詰まり信号が入力されたときに前記第１の光源を点灯させる制御手段と、を備えた、
ことを特徴とする自動原稿搬送装置。
【請求項２】
原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置において、
前記搬送路における前記上流側部分を上方から覆って上側ガイドを構成する開閉自在な搬送カバーユニットと、
前記搬送路における前記上流側部分の下側ガイド及び前記下流側部分の上側ガイドを構成する開閉自在な中間搬送ユニットと、
前記搬送路に配設され、第１の光源から照射して原稿で反射された光に基づいて画像を読み取る第１の画像読取部と、
前記搬送カバーユニットが開放されたことを検知して第１の開放信号を出力する第１の開放検知手段と、
前記第１の開放信号が入力されたときに前記第１の光源を点灯させる制御手段と、を備えた、
ことを特徴とする自動原稿搬送装置。
【請求項３】
原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置において、
前記搬送路における前記上流側部分を上方から覆って上側ガイドを構成する開閉自在な搬送カバーユニットと、
前記搬送路における前記上流側部分の下側ガイド及び前記下流側部分の上側ガイドを構成する開閉自在な中間搬送ユニットと、
前記搬送路に配設され、第１の光源から照射して原稿で反射された光に基づいて画像を読み取る第１の画像読取部と、
前記中間搬送ユニットが開放されたことを検知して第２の開放信号を出力する第２の開放検知手段と、
前記第２の開放信号が入力されたときに前記第１の光源を点灯させる制御手段と、を備えた、
ことを特徴とする自動原稿搬送装置。
【請求項４】
原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置において、
前記搬送路における前記上流側部分を上方から覆って上側ガイドを構成する開閉自在な搬送カバーユニットと、
前記搬送路における前記上流側部分の下側ガイド及び前記下流側部分の上側ガイドを構成する開閉自在な中間搬送ユニットと、
前記搬送路に配設され、第１の光源から照射して原稿で反射された光に基づいて画像を読み取る第１の画像読取部と、
前記搬送路中で原稿が紙詰まりを起こしたことを検知して、紙詰まり信号を発生するジャム検知手段と、
前記搬送カバーユニットが開放されたことを検知して第１の開放信号を出力する第１の開放検知手段と、
前記紙詰まり信号及び第１の開放信号が入力されたときに前記第１の光源を点灯させる制御手段と、を備えた、
ことを特徴とする自動原稿搬送装置。
【請求項５】
原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置において、
前記搬送路における前記上流側部分を上方から覆って上側ガイドを構成する開閉自在な搬送カバーユニットと、
前記搬送路における前記上流側部分の下側ガイド及び前記下流側部分の上側ガイドを構成する開閉自在な中間搬送ユニットと、
前記搬送路に配設され、第１の光源から照射して原稿で反射された光に基づいて画像を読み取る第１の画像読取部と、
前記搬送路中で原稿が紙詰まりを起こしたことを検知して、紙詰まり信号を発生するジャム検知手段と、
前記中間搬送ユニットが開放されたことを検知して第２の開放信号を出力する第２の開放検知手段と、
前記紙詰まり信号及び第２の開放信号が入力されたときに前記第１の光源を点灯させる制御手段と、を備えた、
ことを特徴とする自動原稿搬送装置。
【請求項６】
原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置において、
前記搬送路における前記上流側部分を上方から覆って上側ガイドを構成する開閉自在な搬送カバーユニットと、
前記搬送路における前記上流側部分の下側ガイド及び前記下流側部分の上側ガイドを構成する開閉自在な中間搬送ユニットと、
前記搬送路に配設され、第１の光源から照射して原稿で反射された光に基づいて画像を読み取る第１の画像読取部と、
前記搬送路中で原稿が紙詰まりを起こしたことを検知して、紙詰まり信号を発生するジャム検知手段と、
前記搬送カバーユニットが開放されたことを検知して第１の開放信号を出力する第１の開放検知手段と、
前記中間搬送ユニットが開放されたことを検知して第２の開放信号を出力する第２の開放検知手段と、
前記紙詰まり信号，前記第１の開放信号，及び第２の開放信号が入力されたときに前記第１の光源を点灯させる制御手段と、を備えた、
ことを特徴とする自動原稿搬送装置。
【請求項７】
シートを給送するシート給送部と、原稿を画像読取部に自動的に搬送する自動原稿搬送装置と、前記画像読取部に搬送されたを原稿を光源によって照射しその反射光に基づいて画像を読み取る第２の画像読取部と、前記第２の画像読取部で読み取った画像に基づいて、前記シート給送装置から供給されたシートに画像を形成する画像形成部、とを備えた画像形成装置において、
前記自動原稿搬送装置が、請求項１ないし６のいずれか１項に記載の画像読取装置である、
ことを特徴とする画像形成装置。
【発明の詳細な説明】
【技術分野】
【０００１】
本発明は、画像読取部を有する自動原稿搬送装置、及びこれを備えた画像形成装置に関する。
【背景技術】
【０００２】
複写機，プリンタ等の画像形成装置に使用される自動原稿搬送装置において、原稿がセットされる給紙トレイの下方に、排紙トレイを配設し、これら給紙トレイと排紙とレイトを「Ｕ」字形の搬送路で連結したものが知られている（例えば、特許文献１，２，３）。この種の自動原稿搬送装置にあっては、上述のように給紙トレイと排紙トレイとが上下重なるようにオーバーラップして配設されるので、直線状の搬送路の場合と比較して、占有面積を小さくすることができるという利点がある。
【特許文献１】特開平１１−１０６０８６号公報
【特許文献２】特開２００２−２７４６９４号公報
【特許文献３】特開平１０−１７１７６号公報
【発明の開示】
【発明が解決しようとする課題】
【０００３】
しかしながら、上述の特許文献１，２，３のような「Ｕ」字形の搬送路では、直線状の搬送路と比べて搬送路自体の形状が複雑になり、特に、給紙されてからＵターンするまでの搬送路と、Ｕターン後に排出されるまでの搬送路とが上下に重なるように配設されるため、紙詰まりが発生しやすく、また、発生した場合の処理が煩雑となる。さらには、搬送路が開放されるような構成を採用してはいるものの、構成が複雑であるため、照明等の十分な明るさを確保することができない場合があり、紙詰まりした原稿の状態を正確に把握することができないで、貴重な原稿を無理やり引っ張って破損させたり、搬送路の構成部材を損傷したりするという問題があった。
【０００４】
そこで、本発明は、Ｕ字形の搬送路を有する自動原稿搬送装置において、紙詰まり等に十分な明るさを確保して、原稿や構成部材の破損や損傷を防止し、また、紙詰まり処理の作業性を向上させるようにした自動原稿搬送装置及びこれを備えた画像形成装置に関する。
【課題を解決するための手段】
【０００５】
請求項１に係る発明は、原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置に関する。この発明に係る自動原稿搬送装置は、前記搬送路における前記上流側部分を上方から覆って上側ガイドを構成する開閉自在な搬送カバーユニットと、前記搬送路における前記上流側部分の下側ガイド及び前記下流側部分の上側ガイドを構成する開閉自在な中間搬送ユニットと、前記搬送路に配設され、第１の光源から照射して原稿で反射された光に基づいて画像を読み取る第１の画像読取部と、前記搬送路中で原稿が紙詰まりを起こしたことを検知して、紙詰まり信号を発生する紙詰まり検知手段と、前記紙詰まり信号が入力されたときに前記第１の光源を点灯させる制御手段と、を備えた、ことを特徴としている。
【０００６】
請求項２に係る発明は、原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置に関する。この発明に係る自動原稿搬送装置は、前記搬送路における前記上流側部分を上方から覆って上側ガイドを構成する開閉自在な搬送カバーユニットと、前記搬送路における前記上流側部分の下側ガイド及び前記下流側部分の上側ガイドを構成する開閉自在な中間搬送ユニットと、前記搬送路に配設され、第１の光源から照射して原稿で反射された光に基づいて画像を読み取る第１の画像読取部と、前記搬送カバーユニットが開放されたことを検知して第１の開放信号を出力する第１の開放検知手段と、前記第１の開放信号が入力されたときに前記第１の光源を点灯させる制御手段と、を備えた、ことを特徴としている。
【０００７】
請求項３に係る発明は、原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置に関する。この発明に係る自動原稿搬送装置は、前記搬送路における前記上流側部分を上方から覆って上側ガイドを構成する開閉自在な搬送カバーユニットと、前記搬送路における前記上流側部分の下側ガイド及び前記下流側部分の上側ガイドを構成する開閉自在な中間搬送ユニットと、前記搬送路に配設され、第１の光源から照射して原稿で反射された光に基づいて画像を読み取る第１の画像読取部と、前記中間搬送ユニットが開放されたことを検知して第２の開放信号を出力する第２の開放検知手段と、前記第２の開放信号が入力されたときに前記第１の光源を点灯させる制御手段と、を備えた、ことを特徴としている。
【０００８】
請求項４に係る発明は、原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置に関する。この発明に係る自動原稿搬送装置は、前記搬送路における前記上流側部分を上方から覆って上側ガイドを構成する開閉自在な搬送カバーユニットと、前記搬送路における前記上流側部分の下側ガイド及び前記下流側部分の上側ガイドを構成する開閉自在な中間搬送ユニットと、前記搬送路に配設され、第１の光源から照射して原稿で反射された光に基づいて画像を読み取る第１の画像読取部と、前記搬送路中で原稿が紙詰まりを起こしたことを検知して、紙詰まり信号を発生するジャム検知手段と、前記搬送カバーユニットが開放されたことを検知して第１の開放信号を出力する第１の開放検知手段と、前記紙詰まり信号及び第１の開放信号が入力されたときに前記第１の光源を点灯させる制御手段と、を備えた、ことを特徴としている。
【０００９】
請求項５に係る発明は、原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置に関する。この発明に係る自動原稿搬送装置は、前記搬送路における前記上流側部分を上方から覆って上側ガイドを構成する開閉自在な搬送カバーユニットと、前記搬送路における前記上流側部分の下側ガイド及び前記下流側部分の上側ガイドを構成する開閉自在な中間搬送ユニットと、前記搬送路に配設され、第１の光源から照射して原稿で反射された光に基づいて画像を読み取る第１の画像読取部と、前記搬送路中で原稿が紙詰まりを起こしたことを検知して、紙詰まり信号を発生するジャム検知手段と、前記中間搬送ユニットが開放されたことを検知して第２の開放信号を出力する第２の開放検知手段と、前記紙詰まり信号及び第２の開放信号が入力されたときに前記第１の光源を点灯させる制御手段と、を備えた、ことを特徴としている。
【００１０】
請求項６に係る発明は、原稿がセットされる給紙トレイと、前記給紙トレイの下方に配置されて原稿が排出される排紙トレイと、前記給紙トレイから排紙された原稿が搬送される上流側部分と前記排紙トレイに排出される原稿が搬送される下流部分とを有するＵ字形の搬送路と、を備えた自動原稿搬送装置に関する。この発明に係る自動原稿搬送装置は、前記搬送路における前記上流側部分を上方から覆って上側ガイドを構成する開閉自在な搬送カバーユニットと、前記搬送路における前記上流側部分の下側ガイド及び前記下流側部分の上側ガイドを構成する開閉自在な中間搬送ユニットと、前記搬送路に配設され、第１の光源から照射して原稿で反射された光に基づいて画像を読み取る第１の画像読取部と、前記搬送路中で原稿が紙詰まりを起こしたことを検知して、紙詰まり信号を発生するジャム検知手段と、前記搬送カバーユニットが開放されたことを検知して第１の開放信号を出力する第１の開放検知手段と、前記中間搬送ユニットが開放されたことを検知して第２の開放信号を出力する第２の開放検知手段と、前記紙詰まり信号，前記第１の開放信号，及び第２の開放信号が入力されたときに前記第１の光源を点灯させる制御手段と、を備えた、ことを特徴としている。
【００１１】
請求項７に係る発明は、シートを給送するシート給送部と、原稿を画像読取部に自動的に搬送する自動原稿搬送装置と、前記画像読取部に搬送されたを原稿を光源によって照射しその反射光に基づいて画像を読み取る第２の画像読取部と、前記第２の画像読取部で読み取った画像に基づいて、前記シート給送装置から供給されたシートに画像を形成する画像形成部、とを備えた画像形成装置に関する。この発明に係る画像形成装置は、前記自動原稿搬送装置が、請求項１ないし６のいずれか１項に記載の画像読取装置である、ことを特徴としている。
【発明の効果】
【００１２】
請求項１〜６の画像読取装置は、いずれも所定の条件の下に、第１の画像読取部の第１の光源を点灯するようにしている。ここで、所定の条件として、以下のものがあげられている。
【００１３】
請求項１：紙詰まりが発生したとき、
請求項２：搬送カバーユニットが開放されたとき、
請求項３：中間搬送ユニットが開放されたとき、
請求項４：紙詰まりが発生して、かつ搬送カバーユニットが開放されたとき、
請求項５：紙詰まりが発生して、かつ中間搬送ユニットが開放されたとき、
請求項６：紙詰まりが発生して、かつ搬送カバーユニットが開放され、かつ中間搬送ユニットが開放されたとき、
上述のいずれの場合も、第１の光源によって搬送路が照明されるので、例えば、紙詰まりが発生した箇所や、原稿がどの部材に引っかかっているか等を正確に把握することができるので、紙詰まりの処理を迅速に行うことができるとともに、原稿や構成部材等の損傷を抑制することができる。
【００１４】
請求項７の画像形成装置は、上述の画像読取装置を有しているので、画像読取装置の効果を画像形成装置として享受することができる。
【発明を実施するための最良の形態】
【００１５】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
【００１６】
＜実施形態１＞
（画像形成装置）
図１は、本発明に係る画像形成装置１を前面側左斜め上方から見た外観斜視図である。この図１に示す画像形成装置１は、コピー機能，ファックス機能，及びプリンタ機能を備えた複合機である。
【００１７】
この図１において、画像形成装置１は、画像形成装置本体２の上部に自動原稿搬送装置３を取り付け、画像形成装置本体２内に画像形成部５１（図１０参照））を収容してある。そして、この画像形成装置１は、自動原稿搬送装置３の給紙トレイ４上に積載した原稿Ｐを原稿読取部Ｒ（図８参照）に１枚ずつ送り込み、原稿読取部Ｒによって原稿Ｐの画像データを読み取った後、原稿Ｐを排紙トレイ５上に排出するようになっている。また、この画像形成装置１の画像形成部５１は、自動原稿搬送装置３の原稿読取部Ｒによって読み取られた画像データ又は他のパソコン，複写機，ファクシミリ装置等から送信されたデータに基づいて、給紙カセット６ａ，６ｂ，６ｃ，６ｄのいずれかから送り出した記録材に印刷し、印刷済みの記録材を記録材排紙トレイ７上に排出するようになっている。なお、本発明に係る画像形成装置１は、静電複写方式のものに限定されず、インクジェット方式のものにも適用できる。
【００１８】
（自動原稿搬送装置）
図２は、本発明に係る自動原稿搬送装置３を、図２とほぼ同じ角度で見た外観斜視図である。この図２に示すように、自動原稿搬送装置３は、画像形成装置本体２の上部に取り付けられる装置本体８と、この装置本体８の上部に取り付けられた給紙トレイ４と、この給紙トレイ４の下方に形成された排紙トレイ５と、を備えている（図１参照）。
【００１９】
そして、この自動原稿搬送装置３は、図２及び図６に示すように、給紙トレイ４の図中左側に原稿給紙部１０が配置され、この原稿給紙部１０が給紙トレイ４上に積載された原稿Ｐを１枚ずつ搬送路１１へ送り出すようになっている。この自動原稿搬送装置３は、図２〜図４に示すように、前側板１２と後側板１３との間に給紙トレイ４が位置しており、原稿Ｐの通紙幅方向（原稿送り出し方向に直交する方向）を規制する幅規制板１４，１５が給紙トレイ４にスライド可能に取り付けられている。
【００２０】
また、原稿給紙部１０は、図６に示すように、給紙トレイ４の原稿送り出し方向下流側端部にピックアップローラ１６が配置され、このピックアップローラ１６の原稿搬送方向下流側に隣り合うように原稿給紙手段１７が配置されると共に、この原稿給紙手段１７と転接して原稿Ｐを１枚だけ分離する捌きローラ１８が搬送路１１の給紙トレイ４側の端部に配置されている（図４参照）。
【００２１】
搬送路１１は、図６に示すように、上部の給紙トレイ４と下部の排紙トレイ５とを接続するほぼＵ字形状に形成されており、原稿読取部２０を挟んで原稿読取前搬送路（上流側部分）１１ａと原稿読取後搬送路（下流側部分）１１ｂとで構成されている。
【００２２】
原稿読取前搬送路１１ａには、図４及び図６に示すように、原稿給紙手段１７及び捌きローラ１８よりも原稿搬送方向下流側でかつ原稿読取部２０よりも上流側位置に、レジストローラ対２１が配置されている。そして、ほぼＵ字形状搬送路１１の底部でかつ原稿読取部２０に対応する位置に大径の搬送ローラ２２が配置されている。そして、この大径の搬送ローラ２２の周囲には搬送ローラ２２と転接する小搬送ローラ２３がレジストローラ対２１よりも原稿搬送方向下流側の近傍位置に配置されている。また、搬送路１１には、原稿読取部２０を挟むように、搬送ローラ２２と転接する小搬送ローラ２４，２５がそれぞれ配置されている。このうち、原稿読取後搬送路１１ｂの小搬送ローラ２５よりも原稿搬送方向下流側には、原稿Ｐの裏面側を読み取る裏面読取部（第１の画像読取部）２６が配置され、この裏面読取部２６に対向する位置に搬送ローラ２７が配置され、裏面読取部２６よりも原稿搬送方向下流側に搬送ローラ対２８及び排紙ローラ対３０が順次間隔をあけて配置されている。
【００２３】
図６において、自動原稿搬送装置３は、給紙トレイ４上に積載された複数枚の原稿Ｐのうちで最上位の原稿Ｐをピックアップローラ１６によって搬送路１１に送り出すようになっている。この際、ピックアップローラ１６によって複数枚の原稿Ｐが給紙トレイ４から送り出されると、原稿給紙手段１７に接触しない原稿Ｐが、原稿Ｐを送り出す方向に回動する原稿給紙手段１７とは逆の方向（原稿を戻す方向）に回動する捌きローラ１８によって給紙トレイ４側に戻され、ピックアップローラ１６に接触する１枚の原稿Ｐのみが搬送路１１内に送り出される。
【００２４】
図６において、搬送路１１に送り出された原稿Ｐは、レジストローラ対２１で斜行が矯正された後、各搬送ローラ２２，２３によって原稿読取前搬送路１１ａ内を原稿読取部２０に送り込まれ、原稿読取部２０に配置された光源８１等（図１０参照）によって画像データが読み取られるようになっている。
【００２５】
図６において、原稿読取部２０を通過した原稿Ｐは、各搬送ローラ２２，２５，２７，２８によって原稿読取後搬送路１１ｂを搬送され、片面原稿の場合にはそのまま排紙ローラ対３０によって排紙トレイ５上に排出され、両面原稿の場合には裏面読取部２６によって裏面側の画像データが読み取られた後、排紙ローラ対３０によって排紙トレイ５上に排出される。
【００２６】
しかしながら、このような自動原稿搬送装置３は、原稿Ｐの紙質や各搬送ローラ２２，２３，２４，２５，２７，２８、排紙ローラ対３０の摩耗等の影響により紙詰まりを生じることがある。
【００２７】
そこで、本実施形態の自動原稿搬送装置３は、図３〜図６に示すように、搬送カバーユニット３１が装置本体８に対して開閉できるように取り付けられ、ほぼＵ字形状の搬送路１１の内側ガイドを担当する中間搬送ユニット３２が装置本体８に対して開閉（回動）できるように取り付けられており、搬送カバー３１の開放後に中間搬送ユニット３２を回動させて、搬送路１１を大きく開くことにより、搬送路１１の途中に詰まった原稿Ｐの除去作業を容易化するようになっている。
【００２８】
ここで、搬送カバーユニット３１には、以下のものが含まれている。すなわち、搬送カバーユニット３１には、図６に示すように、ピックアップローラ１６、原稿給紙手段１７、レジストローラ対２１を構成するレジスト上ローラ２１ａとレジスト下ローラ２１ｂとのうちのレジスト上ローラ２１ａ、小搬送ローラ２３、そして、原稿読取前搬送路１１ａを構成する上側ガイド３６と下側ガイド３７とのうちの上側ガイド３６等が含まれている。つまり、搬送カバーユニット３１は、これらが一体となって構成されており、搬送ローラ２２の回転軸３４から離れた位置にある第１支持部３５によって装置本体８に回動可能に支持されている。一方、中間搬送ユニット３２には、以下のものが含まれている。すなわち、中間搬送ユニット３２には、捌きローラ１８、レジスト下ローラ２１ｂ、下側ガイド３７、裏面読取部２６、搬送ローラ対２８を構成する上搬送ローラ２８ａと下搬送ローラ２８ｂとのうちの上搬送ローラ２８ａ、排紙ローラ対３０を構成する上排紙ローラ３０ａと下排紙ローラ３０ｂとのうちの上排紙ローラ３０ａ、そして、原稿読取後搬送路１１ｂを構成する上側ガイド４０と下側ガイド４１とのうちの上側ガイド４０等が含まれている。つまり、中間搬送ユニット３２は、これらが一体となって構成されており、搬送ローラ２２の回転軸３４によって装置本体８に回動可能に支持されている。しかも、本実施形態の自動原稿搬送装置３は、図３〜図５に示すように、搬送カバーユニット３１を開いた状態において、画像形成装置１の前面側からも原稿読取前搬送路１１ａ内の原稿を視認できるようにするため、前側板１２の外縁部３３が原稿読取前搬送路１１ａ（中間搬送ユニット３２の上側ガイド３７）に沿って原稿読取部２０の近傍位置まで形成されている。
【００２９】
本実施形態では、さらに、搬送路１１内で紙詰まりが発生したり、搬送カバーユニット３１が開放されたり、中間搬送ユニット３２が開放されたりした場合に、これらをセンサ（検知手段）Ｓ１，Ｓ２，Ｓ３によって検知し、その出力信号に基づいて制御装置４２が上述の裏面読取部２６の光源４７を点灯させるようにしている。これにより、紙詰まりを起こした原稿Ｐの発見や、処理が容易に行えるようにしている。以下、この点について詳述する。
【００３０】
図７に、裏面読取部２６の構成を示す。同図に示すように、裏面読取部２６は、支持部材４５を有していて、支持部材４５の下端には、コンタクトガラス４６が取り付けられている。また、光源（第１の光源）４７、レンズアレイ４８、ＣＣＤ４９が支持部材４５によって支持されている。コンタクトガラス４６の下面は、原稿読取面４６ａとなっていて、搬送ローラ２７によって搬送される原稿Ｐの背面（上面）が密着される。画像の読取時には、光源４７から照射された光が原稿Ｐの背面で反射され、その反射光がレンズアレイ４８を通って、ＣＣＤ４９に導かれる。これにより、原稿Ｐの背面の画像が読み取られる。この裏面読取部２６は、上述のように、中間搬送ユニット３２に組み込まれており、中間搬送ユニット３２の開閉動作に伴って移動することになる。
【００３１】
図８に、自動原稿搬送装置３に配設された各種のセンサ（スイッチ）を示す。また、図９には、搬送カバーユニット３１及び中間搬送ユニット３２が開放された状態を示す。図８中のレジストローラ対２１のすぐ下流側には、原稿Ｐが紙詰まりを起こしたことを検知するセンサ（紙詰まり検知手段）Ｓ１が配設されている。このセンサＳ１は、紙詰まりを検知すると、制御装置４２に対して、紙詰まり信号を送る。これにより、制御装置４２は、光源４７を点灯させる。また、図８中のピックアップローラ１６の上方には、搬送カバーユニット３１の開閉を検知するセンサ（第１の開放検知手段）Ｓ２が配設されている。このセンサＳ２は、搬送カバーユニット３１の開放を検知すると、制御装置４２に対して、第１の開放信号を送る。これにより、制御装置４２は、光源４７を点灯させる。また、図８中の排紙ローラ対３０の近傍には、中間搬送ユニット３２の開閉を検知するセンサ（第２の開放検知手段）Ｓ３が配設されている。このセンサＳ３は、中間搬送ユニット３２の開放を検知すると、制御装置４２に対して、第２の開放信号を送る。これにより、制御装置４２は、光源４７を点灯させる。
【００３２】
本実施形態では、制御装置４２は、所定の条件の下に、光源４７を点灯するようにしている。所定の条件としては、例えば、以下のようなものが挙げられる。
【００３３】
（１）センサＳ１が紙詰まりを検知したとき、
（２）センサＳ２が搬送カバーユニット３１の開放を検知したとき、
（３）センサＳ３が中間搬送ユニット３２の開放を検知したとき、
（４）センサＳ１が紙詰まりを検知し、かつセンサＳ２が搬送カバーユニット３１の開放を検知したとき、
（５）センサＳ１が紙詰まりを検知し、かつセンサＳ３が中間搬送ユニット３２の開放を検知したとき、
（６）センサＳ１が紙詰まりを検知し、かつセンサＳ２が搬送カバーユニット３１の開放を検知し、かつセンサＳ３が中間搬送ユニット３２の開放を検知したとき、
これらのうち、いずれの条件を採用するかは、適宜、選択することができる者とする。
【００３４】
ここで、（２）を採用した場合の動作の流れを図１１のフローチャートに、また、（３）を採用した場合の動作の流れを図１２のフローチャートに示す。
【００３５】
図１１に示すように、センサＳ１が紙詰まりを検知しない場合は（Ｓ１１のＮＯ）、光源４７はＯＦＦのままである。一方、センサＳ１が紙詰まりを検知した場合には（Ｓ１１のＹＥＳ）、搬送カバーユニット３１が開放されたか否かを判断する（Ｓ１２）。開放されていない場合には（Ｓ１２のＮＯ）、光源４７はＯＦＦのままである。一方、開放されている場合には（Ｓ１２のＹＥＳ）、光源４７をＯＮする（Ｓ１３）。そして、搬送カバーユニット３１が閉鎖されたか否かを判断する（Ｓ１４）。閉鎖された場合には（Ｓ１４のＹＥＳ）、光源４７をＯＦＦする。一方、閉鎖されていない場合には（Ｓ１４のＮＯ）、光源４７の点灯時間が所定の時間を越えたか否かを判断する（Ｓ１５）。超えていない場合には（Ｓ１５のＮＯ）、光源４７のＯＮを続行する。一方、越えている場合には（Ｓ１５のＹＥＳ）、光源４７をＯＦＦして（Ｓ１６）、終了する。
【００３６】
つづいて、図１２に示すように、センサＳ１が紙詰まりを検知しない場合は（Ｓ２１のＮＯ）、光源４７はＯＦＦのままである。一方、センサＳ１が紙詰まりを検知した場合には（Ｓ２１のＹＥＳ）、中間搬送ユニット３２が開放されたか否かを判断する（Ｓ２２）。開放されていない場合には（Ｓ２２のＮＯ）、光源４７はＯＦＦのままである。一方、開放されている場合には（Ｓ２２のＹＥＳ）、光源４７をＯＮする（Ｓ１３）。そして、中間搬送ユニット３２が閉鎖されたか否かを判断する（Ｓ２４）。閉鎖された場合には（Ｓ２４のＹＥＳ）、光源４７をＯＦＦする。一方、閉鎖されていない場合には（Ｓ２４のＮＯ）、光源４７の点灯時間が所定の時間を越えたか否かを判断する（Ｓ２５）。超えていない場合には（Ｓ２５のＮＯ）、光源４７のＯＮを続行する。一方、越えている場合には（Ｓ２５のＹＥＳ）、光源４７をＯＦＦして（Ｓ２６）、終了する。
【００３７】
以上では、上述の条件（１）〜（６）のうち、（２），（３）を採用した場合の動作の流れを説明したが、他の条件(１)，（４）〜（６）を採用した場合もほぼ同様である。
【００３８】
以上説明したように、本実施形態によると、上述の条件（１）〜（６）のいずれを採用した場合でも、光源４７によって搬送路１１を照明することができるので、例えば、紙詰まりが発生した箇所や、原稿Ｐがどの部材に引っかかっているか等を正確に把握することができるので、紙詰まりの処理を迅速に行うことができるとともに、原稿Ｐや構成部材等の損傷を抑制することができる。
【００３９】
図１０に、本発明に係る画像形成装置１の一例を示す。画像形成装置１には、シート給送部５０と、画像形成部５１と、定着部５２と、シート排出部５３と、第２の画像読取部５４とが設けられている。
【００４０】
シート給送部５０は、給紙カセット６０内に積層状態で収納されたシートＳのうち、最上位に位置するものを給送ローラ６１によって給紙し、給送ローラ６２及びリタードローラ６３によって重送を防止しながら１枚だけ下流側のレジストローラ対６４に搬送する。停止中のレジストローラ対６４によって斜行が防止されたシートＳは、次に説明する画像形成部５１の感光ドラム６５の回転にタイミングをあわせるようにして、レジストローラ対６４によって画像形成部５１に供給される。
【００４１】
画像形成部５１には、所定のプロセススピード（周速度）で矢印方向に回転する感光ドラム（電子写真感光体）６５が配設されている。感光ドラム６５は、その表面が帯電器６６によって所定の極性・電位に一様に帯電される。帯電後の感光ドラム６５の表面は、後述する第２の画像読取部５４が読み取った画像情報に基づいて、露光装置６７により露光が行われ、露光部分の電荷が除去されて静電潜像が形成される。この静電潜像は、現像装置６８によってトナーが付着されてトナー像として現像される。このトナー像は、上述のシート給送部５０から供給されたシートＳに、転写ローラ６９によって転写される。トナー像転写後の感光ドラム６５は、表面の転写残トナーがクリーニング装置７０によって除去されて次の画像形成に供される。
【００４２】
定着部５２には、ヒータ７１を内蔵した定着ローラ７２と、これに圧接された加圧ローラ７３が配設されている。画像形成部５１によってトナー像が転写されたシートＳは、定着ローラ７２と加圧ローラ７３との間の定着ニップ部を通過する際に加熱・加圧されて、表面にトナー像が定着される。
【００４３】
シート排出部５３には、排紙ローラ対７４、排紙トレイ７５が配設されている。トナー像転写後のシートＳは、排紙ローラ対７４により、排紙トレイ７５に排出される。
【００４４】
第２の画像読取部５４は、左右方向に移動可能なフレーム８０が配設されていて、このフレーム８０には、光源（第２の光源）８１、第１のミラー８２が搭載されている。同じく左右方向に移動可能なフレーム８３が配設されていて、このフレーム８３には第２のミラー８４、第３のミラー８５が搭載されている。また、第２の画像形成部５４には、レンズ８６、ＣＣＤ８７等を有するスキャナユニット８８が配設されている。第２の画像形成部５４の上部には、原稿（不図示）がその画像面を下向きにしてセットされるプラテンガラス８９が配設されている。上述の自動原稿搬送装置３は、このプラテンガラス８９上に、後端側を基準として画像形成装置本体２によって開閉自在に支持されている。第２の画像読取部５４は、プラテンガラス８９上にセットされた原稿を、光源８１が照射しながら右方に移動し、原稿からの反射光を第１，第２，第３のミラー８２，８４，８５によりレンズ８６を通してＣＣＤ８７に導く。これにより、原稿の画像を読み取る。この読み取った画像情報に基づいて、上述の露光装置６７による露光が行われる。なお、第２の画像読取部５４は、光源８１を図８に示す読取位置Ｒに配置して、光源８１から光を照射し、自動原稿搬送装置３によって搬送される原稿Ｐの画像を読み取ることも可能である。
【００４５】
第２の画像読取部５４の光源８１は、上述の第１の光源４７と同様に使用することが可能である。すなわち、センサＳ１が紙詰まりを検知したり、センサＳ２が搬送カバーユニット３１の開放を検知したり、センサＳ３が中間搬送ユニット３２の開放を検知したりした場合に、光源８１を点灯させて、搬送路１１等を照射するようにしてもよい。また、上述の条件（１）〜（６）に基づいて、第１の光源４７を点灯させる際に、同時に第２の光源８１を点灯させるようにしてもよい。この場合には、２個の光源４７，８１によって、搬送路１１等を一層、明るく照射することができる。
【産業上の利用可能性】
【００４６】
本発明の自動原稿搬送装置は、画像形成装置に限られず、スキャナ装置の原稿読込部に取り付けるようにしてもよい。
【図面の簡単な説明】
【００４７】
【図１】本発明に係る自動原稿搬送装置を使用した画像形成装置を正面側左斜め上方から見た外観斜視図である。
【図２】本発明に係る自動原稿搬送装置を正面側左斜め上方から見た外観斜視図である。
【図３】本発明に係る自動原稿搬送装置の搬送カバーを途中まで開いた状態を示す斜視図である。
【図４】本発明に係る自動原稿搬送装置の搬送カバーを開いて示す原稿給紙部の斜視図である。
【図５】本発明に係る自動原稿搬送装置の搬送カバー及び中間搬送ユニットを回動させ、搬送路を大きく開いた状態の自動原稿搬送装置を示す斜視図である。
【図６】搬送カバーを閉じた状態の自動原稿搬送装置を前面側から見て示す原稿給紙部側断面図である。
【図７】第１の画像読取部の構成を説明する図である。
【図８】閉鎖状態の搬送カバーユニット及び中間搬送ユニットを模式的に示す図である。
【図９】開放状態の搬送カバーユニット及び中間搬送ユニットを模式的に示す図である。
【図１０】本発明に係る画像形成装置を正面側から見て模式的に示す図である。
【図１１】紙詰まりが検知され、搬送カバーユニットの開放が検知されたときに、光源を点灯する動作の流れを説明するフローチャートである。
【図１２】紙詰まりが検知され、中間搬送ユニットの開放が検知されたときに、光源を点灯する動作の流れを説明するフローチャートである。
【符号の説明】
【００４８】
１……画像形成装置、２……画像形成装置本体、３……自動原稿搬送装置、４……給紙トレイ、１１……搬送路、１１ａ……原稿読取前搬送路（上流側部分）、１１ｂ……原稿読取後搬送路（下流側部分）、２０……原稿読取部、２６……裏面読取部（第１の画像読取部）、３１……搬送カバーユニット、３２……中間搬送ユニット、３６，４０……上側ガイド、３７，４１……下側ガイド、４２……制御手段、４７……光源（第１の光源）、５０……シート給送部、５１……画像形成部、５２……定着部、５３……シート排出部、Ｐ……原稿、Ｓ１……センサ（紙詰まり検知センサ）、Ｓ２……センサ（第１の開閉検知手段）、Ｓ３……センサ（第２の開閉検知手段）
【図１】
2008184296.tif 000003
【図２】
2008184296.tif 000004
【図３】
2008184296.tif 000005
【図４】
2008184296.tif 000006
【図５】
2008184296.tif 000007
【図６】
2008184296.tif 000008
【図７】
2008184296.tif 000009
【図８】
2008184296.tif 000010
【図９】
2008184296.tif 000011
【図１０】
2008184296.tif 000012
【図１１】
2008184296.tif 000013
【図１２】
2008184296.tif 000014